(57)【特許請求の範囲】
【請求項１】
皮膚に接触すべきプローブのヘッドに超音波振動を伝達して美肌トリートメントを行う超音波美容器において、
プローブに対しヘッドを、ヘッドの皮膚接触面と直交する回転軸を備える回転駆動手段を介して接続するものであって、
このヘッドが、絶縁性でかつ柔軟な弾性材料で形成した筒状のケースの開口部に、断面台形の振動体を取り付けたものであり、
当該振動体の表面に凹凸を形成し、
また、振動体の基部にリング状の凹部を設け、このリング状の凹部を前記ケースの先端に設けたリング状の凸部に嵌合して取り付けることを特徴とする超音波摩擦美容装置。
【発明の詳細な説明】
【０００１】
【発明の属する技術分野】
本発明は、皮膚に接触すべきプローブのヘッドに超音波振動を伝達して美肌トリートメントを行う超音波美容器に関する。
【０００２】
【発明が解決しようとする課題】
超音波は、強いエネルギーを持つ振動波を発生して菌体の破砕、表層の剥離、洗浄、発熱などの作用があり、この振動波を皮膚に作用すると、皮膚表層を殺菌して老廃物や角質層などを剥離し、ニキビ、毛穴の油、汚れ、化粧の残りなどを浮き上がらせ、皮膚表層の血行を促して組織を活性化し、筋肉の緊張をほぐしてシミ、シワ、タルミなどを除去する美肌効果がある。
【０００３】
超音波美容器は、皮膚に接触すべきプローブのヘッドに超音波振動を伝達して美肌トリートメントを行うものであるが、超音波は２０ｋＨｚ以上の微細な振動波で、皮膚に接触させてもほとんど振動を感じとることができない。
このため、トリートメントをしているという実感がなく、肌に感じる動きもないので、物足りなさを感じて興味を持続させるのが難しい。
【０００４】
一方、超音波は空気中では減衰が大きく、超音波の振動体を直接皮膚に接触させても間の空気が邪魔をしてエネルギーが効率よく皮膚に伝わらない。
そこで、超音波の振動体と皮膚との接触面にジェルやクリームなどの媒体を塗って超音波の伝播効率を高めることを行う。
この媒体にクレンジングクリームなどを使用して皮膚面を摩擦すると、超音波の振動波によって皮膚表層に浮き上がった汚れなどをきれいに除去することができる。
【０００５】
そこで本発明は、超音波美容器のプローブのヘッドの表面に凹凸を設けて回転させることにより、肌に感じる動きを与えると共に、摩擦によって超音波の美肌効果と洗浄効果をさらに高めることを目的になされたものである。
【０００６】
【課題を解決するための手段】
かかる目的を達成するために、本発明は、以下のように構成した。
【０００７】
すなわち、請求項１の発明は、皮膚に接触すべきプローブのヘッドに超音波振動を伝達して美肌トリートメントを行う超音波美容器において、
プローブに対しヘッドを、ヘッドの皮膚接触面と直交する回転軸を備える回転駆動手段を介して接続するものであって、
このヘッドが、絶縁性でかつ柔軟な弾性材料で形成した筒状のケースの開口部に、断面台形の振動体を取り付けたものであり、
当該振動体の表面に凹凸を形成し、
また、振動体の基部にリング状の凹部を設け、このリング状の凹部を前記ケースの先端に設けたリング状の凸部に嵌合して取り付けることを特徴とする超音波摩擦美容装置である。
【０００８】
【発明の実施の形態】
以下に図面を参照して本発明の実施の形態について説明する。
【０００９】
図１と図２に、本発明を実施した超音波摩擦美容装置のプローブの正面図と部分断面図を示す。
超音波摩擦美容装置のプローブは、ヘッド部１を回転自在に本体２の先端に取り付け、本体２にはヘッド部１を空冷するエアチューブ３を内蔵し、本体２の基端にケーブル４を接続する。
ケーブル４は、本体２にバッテリーを内蔵して省略してもよい。
【００１０】
ヘッド部１は、絶縁性の筒状のケース１１の開口部に断面台形の円錐状の振動体１２を取り付け、ケース１１の底部軸心に軸受１３を凹設する。
振動体１２は、基部に設けたリング状の凹部ａとケース１１の先端に設けたリング状の凸部ｂを嵌合して取り付ける。
【００１１】
図３と図４に、振動体１２の表面の平面図と側面図を示す。
振動体１２の表面は、レモン絞り器のように複数条の湾曲した突条ｃを中心から周縁部に向って放射状に配列する。
突条ｃは、図５の断面図に示すように、その表面が湾曲した突条ｃの凹曲側より凸曲側に向けて低く傾斜する。
すなわち、凹曲側を直立させ、凸曲側を緩やかに傾斜させる。
これにより、振動体１２を正転あるいは逆転したときの表面の抵抗を、凹曲側を大きく、凸曲側を小さくする。
【００１２】
また、図６に示すように、突条ｃの断面積ｓ、ｓ′が中心から周縁部に向って拡大し、ｓ＜ｓ′となるように形成する。
これにより、図７に示すように、振動体１２の表面を平坦にした場合、表面に配列した突条ｃの稜線が緩やかな凹面を描くようにする。
あるいは、図８に示すように、振動体１２の表面を起伏させた場合、表面に配列した突条ｃの稜線が平面を描くようにしてもよい。
【００１３】
図９〜１１に、振動体１２の表面に設けた凹凸の変形例を示す。
図９は、放射状の突条を、図１０は、渦巻状の突条を、図１１は、多数の小突起をそれぞれ示す。
【００１４】
ケース１１は、柔軟な弾性材料で形成し、先端の凸部ｂをクッションとして機能させてケース１１から振動体１２を遊離し、振動体１２の振動を拘束しないようにする。
また、ケース１１内を密封して皮膚に塗布したクリームや汗から生じる油や蒸気などがケース１１内に侵入するのを防ぐ。
【００１５】
ケース１１の凸部ｂの近傍には、空気孔Ａを穿って中の空気を排出する。
【００１６】
振動体１２は、しなやかで弾力性のある薄いステンレス鋼板、あるいは硬質のアルミ、ジュラルミン、薄銅板などの金属で形成し、ハードクロムメッキなどの表面処理を施す。
【００１７】
振動体１２の先端面の内側には圧電セラミックスで構成する超音波振動子１４を固着し、超音波振動子１４の端子Ｔ１、Ｔ２にそれぞれリード線Ｌ１、Ｌ２の一端を接続する。
【００１８】
エアチューブ３は、先端の吹き出し口を超音波振動子１４の後方にのぞませ、ケーブル４に集束して基端を図示しないコンプレッサに接続する。
【００１９】
図１２に、ケース１１の底部外側の平面図を示す。
ケース１１の底部外側は、軸受１３の外周に同心円状のリング電極Ｅ１、Ｅ２を固着し、その外周にエアチューブ３のエアを送通するスリットＡ′を配置し、外縁部にリング状にころを配列した減摩リングＳを取り付ける。
そして、ケース１１の底部を貫通してリード線Ｌ１、Ｌ２の他端をリング電極Ｅ１、Ｅ２にそれぞれ接続する。
【００２０】
本体２は、Ｌ字型に折り曲げた筒状のケース２１内に減速ギアと一体のギアドモータ２２と、一対のスプリングピンＰ１、Ｐ２を設置し、側面に押しスイッチ２３を配置する。
図１３に、本体２の先端部外側の平面図を示す。
本体２の先端部外側は、軸孔ｄの外周に通孔Ｈ１、Ｈ２を穿ち、外縁部に減摩リングＳの案内溝Ｓ′を刻設する。
軸孔ｄは、ギアドモータ２２のモータ軸２４を挿通し、モータ軸２４の先端に抜止め２５を設けて軸受１３に挿嵌する。
抜止め２５は、９０°回転させて軸受１３に係止する。
【００２１】
通孔Ｈ１、Ｈ２は、スプリングピンＰ１、Ｐ２の先端をのぞませ、スプリングピンＰ１、Ｐ２は対向するリング電極Ｅ１、Ｅ２を横方向から押圧してリード線Ｌ１、Ｌ１′とＬ２、Ｌ２′をそれぞれ電気的に導通させる。
リード線Ｌ１′、Ｌ２′は、ケーブル４に集束して終端を図示しない超音波発振器に接続する。
【００２２】
本発明を実施した超音波摩擦美容装置のプローブは以上のような構成で、トリートメントを行うときは、まず、クレンジングクリームをトリートメント部位あるいはヘッド部１の先端に塗布する。
次に、ヘッド部１の先端を皮膚面に対して直角に軽く押し当て、押しスイッチ２３をオンにしてゆっくり円を描くように皮膚面に沿ってプローブを移動する。
【００２３】
押しスイッチ２３をオンにすると、超音波振動子１４に超音波発振器の振動電圧が印加され、振動体１２が曲げ変形を起こして超音波振動する。
これにより、超音波振動波が皮膚面を叩くように作用し、古い表皮を剥離して老廃物や角質層、あるいは毛穴の油、汚れ、化粧の残りなどを浮き上がらせる。また、超音波振動波が広範囲に拡散して皮膚表面に振動を与え、皮膚表層の血行を促して組織を活性化する。
【００２４】
同時に、ギアドモータ２２が６０ｒｐｍ程度のスピードでゆっくり回転し、交互に正転あるいは逆転する。
ギアドモータ２２が正転すると、振動体１２の表面の突条ｃの凹曲側が皮膚面を削るように作用し、皮膚表層に浮き上がった老廃物などの汚れをクレンジングクリームと共に洗浄して除去する。
ギアドモータ２２が逆転すると、振動体１２の表面の突条ｃの凸曲側が皮膚面を叩くように作用し、クレンジングクリームを皮膚表層に刷り込む。
同時に、皮膚を引き伸ばして筋肉の緊張をほぐし、シミ、シワ、タルミなどを除去すると共に、毛穴を開いて超音波の洗浄作用を補強する。
【００２５】
さらに、コンプレッサが作動してエアチューブ３の先端からエアを吹き出し、このエアが超音波振動子１４に当たって空気孔Ａから排出される。
これにより、超音波振動子１４が冷却され、過熱を防いで振動体１２の温度を常温状態に保つ。
【００２６】
【発明の効果】
以上説明したように、本発明の超音波摩擦美容装置は、振動体の基部にリング状の凹部を設け、このリング状の凹部を柔軟な弾性材料で形成したケースの先端に設けたリング状の凸部に嵌合して取り付ける。
従って、振動体の振動が拘束されず、またケース内を密封できる。
【図面の簡単な説明】
【図１】本発明を実施した超音波摩擦美容装置のプローブの正面図である。
【図２】図１の部分断面図である。
【図３】振動体の表面の平面図である。
【図４】図３の側面図である。
【図５】突条の断面図である。
【図６】突条の断面積の拡大を示す図である。
【図７】振動体の表面を平坦にした場合の突条の稜線を示す図である。
【図８】振動体の表面を起伏させた場合の突条の稜線を示す図である。
【図９】振動体の表面に放射状の突条を設けた図である。
【図１０】振動体の表面に渦巻状の突条を設けた図である。
【図１１】振動体の表面に多数の小突起を設けた図である。
【図１２】ケースの底部外側の平面図である。
【図１３】本体の先端部外側の平面図である。
【符号の説明】
１            ヘッド部
１１          ケース
１２          振動体
１３          軸受
１４          超音波振動子
２            本体
２１          ケース
２２          ギアドモータ
２３          押しスイッチ
２４          モータ軸
２５          抜止め
３            エアチューブ
４            ケーブル
Ａ            空気孔
Ａ′          スリット
Ｅ            リング電極
Ｈ            通孔
Ｌ            リード線
Ｐ            スプリングピン
Ｓ            減摩リング
Ｓ′          案内溝
Ｔ            端子
ａ            凹部
ｂ            凸部
ｃ            突条
ｄ            軸孔
【図１】
0003615062.tif 000002
【図２】
0003615062.tif 000003
【図３】
0003615062.tif 000004
【図４】
0003615062.tif 000005
【図５】
0003615062.tif 000006
【図６】
0003615062.tif 000007
【図７】
0003615062.tif 000008
【図８】
0003615062.tif 000009
【図９】
0003615062.tif 000010
【図１０】
0003615062.tif 000011
【図１１】
0003615062.tif 000012
【図１２】
0003615062.tif 000013
【図１３】
0003615062.tif 000014